(57)【特許請求の範囲】
【請求項１】
相対向する壁を備え、これら壁の下端部に、互に近付く方向に突出するベース部及びこのベース部から折り曲げられた起立部を有する器具本体と；
上壁及び側壁を有したモジュール本体、この本体に組み込まれた光源装置、及び互に遠ざかるように前記モジュール本体外に突出された一対の係合部を前記側壁に備え、これら係合部の先端間距離を相対向した前記壁の側面間距離より短くかつ前記起立部の相互間距離より長くし、前記モジュール本体の下部外面と前記起立部とが近接ないしは接する状態に前記モジュール本体の下部を前記起立部間に配置するとともに、前記起立部に前記係合部を上方から引掛けて、相対向した前記壁間に設置された光源モジュールと；
を具備し、
前記係合部は、前記モジュール本体の下面よりも上方で前記起立部に引掛るように前記モジュール本体に配設され、
前記モジュール本体は、前記係合部が配設される前記側壁が前記起立部と相対向するように配置され、
前記ベース部が水平であるとともに、前記モジュール本体の下面が水平でかつ前記ベース部と略同じ高さに設けられていることを特徴とする照明器具。
【請求項２】
前記上壁が通孔を有しており、前記光源装置が複数個前記上壁に取付けられていて、これら光源装置に接続されたモジュール内リード線に、前記通孔を通ったモジュール外リード線が接続されているとともに、前記モジュール外リード線が前記モジュール内リード線より太いことを特徴とする請求項１に記載の照明器具。
【請求項３】
相対向した前記壁間に前記光源モジュールと並べて設置された設備プレートを備え、前記ベース部及び起立部が前記光源モジュールより長いとともに、前記設備プレートが設置される前の状態で前記起立部に引っ掛かっている前記光源モジュールが前記起立部に沿ってこの起立部の長手方向にスライド可能であることを特徴とする請求項１又は２に記載の照明器具。
【請求項４】
前記器具本体にユニット着脱開口が開けられていて、この着脱開口を塞ぐように配置されるユニットホルダが前記器具本体の外部から取外し可能に前記器具本体に取付けられているとともに、このユニットホルダに前記器具本体に収容されて前記光源装置への給電を担う電源ユニットが取外し可能に支持されていることを特徴とする請求項１から３のうちのいずれか一項に記載の照明器具。
【発明の詳細な説明】
【技術分野】
【０００１】
本発明の実施形態は、例えば天井側に設置される照明器具に関する。
【背景技術】
【０００２】
システム天井の天井板に設けられた角形開口部に、ＬＥＤ器具を、前記角形開口部を塞ぐように配置して構成されたシステム天井用ＬＥＤ照明装置が、従来技術として知られている。
【０００３】
天井等の開口部に、ＬＥＤ器具等の照明器具を設置する場合、ねじ等の固定手段を用いないで簡単な作業で設置できるようにすることが望ましい。更に、固定手段を用いないで設置されたＬＥＤ器具等の照明器具は、前記開口部内で振動してがたつかないように設置されることが要請されている。これとともに、照明器具のがたつきを抑制する手段を講じたことを原因として、開口部への照明器具の設置作業性の低下がもたらされることがないようにすることも要請されている。
【先行技術文献】
【特許文献】
【０００４】
【特許文献１】特開２０１０−１０１０６号公報
【発明の概要】
【発明が解決しようとする課題】
【０００５】
実施形態は、光源モジュールの設置作業性を改善しつつ、設置された光源モジュールのがたつきを抑制可能な照明器具を提供することにある。
【課題を解決するための手段】
【０００６】
前記課題を解決するために、実施形態の照明器具は、器具本体と光源モジュールを具備する。相対向する器具本体の壁の下端部に、互に近付く方向に突出するベース部及びこれから折り曲げられた起立部を設ける。光源モジュールは、上壁及び側壁を有したモジュール本体、この本体に装着された光源装置及び互に遠ざかる方向に突出された一対の係合部を備える。一対の係合部の先端間距離を、相対向した壁の側面間距離より短く起立部の相互間距離より長くする。モジュール本体の下部外面と起立部が近接ないしは接する状態にモジュール本体の下部を起立部間に配置するとともに起立部に上方から係合部を引掛かけて、光源モジュールを相対向した壁間に設置したことを特徴としている。
【発明の効果】
【０００７】
実施形態の照明器具によれば、光源モジュールの設置作業性を改善しつつ、設置された光源モジュールのがたつきを抑制することが可能である、という効果を期待できる。
【図面の簡単な説明】
【０００８】
【図１】実施例１に係る照明器具をその一部を切欠いてシステム天井が有したバー材の一部とともに示す正面図である。
【図２】図１の照明器具をその一部を省略してシステム天井が有したバー材の一部とともに示す背面図である。
【図３】図２中矢印Ｆ３−Ｆ３線に沿う断面図である。
【図４】図２中矢印Ｆ４−Ｆ４線に沿う断面図である。
【図５】図２中矢印Ｆ５−Ｆ５線に沿う断面図である。
【図６】図１の照明器具が備える器具本体をこれに取付けられた電源ユニットとともに示す平面図である。
【図７】図６の器具本体をこれに取付けられた電源ユニットとともに示す正面図である。
【図８】図１の照明器具が備える光源モジュールを示す斜視図である。
【図９】図８の光源モジュールを示す背面面である。
【図１０】図８の光源モジュールが有する発光モジュールの配置を示すモジュール本体の正面図である。
【図１１】図１の照明器具が備える第２の設備プレートを見上げた状態で示す斜視図である。
【図１２】図１１の第２の設備プレートを見下ろした状態で示す斜視図である。
【図１３】図１の照明器具が備える第１の設備プレートを見上げた状態で示す斜視図である。
【図１４】図１３の第１の設備プレートを見下ろした状態で示す斜視図である。
【図１５】図１の照明器具が備える二系統の配線系統のうちの一方を示す結線図である。
【図１６】実施例２に係る照明器具をその一部を切欠いてシステム天井が有したバー材の一部とともに示す正面図である。
【図１７】図１６の照明器具が備える設備プレートを示す背面図である。
【図１８】図１７の設備プレートを示す正面図である。
【図１９】図１７中Ｆ１９−Ｆ１９線に沿う断面図である。
【図２０】図１６中Ｆ２０−Ｆ２０線に沿う断面図である。
【図２１】実施例３に係る照明器具の一部を示す断面図である。
【発明を実施するための形態】
【０００９】
実施形態１の照明器具は、相対向する壁を備え、これら壁の下端部に、互に近付く方向に突出するベース部及びこのベース部から折り曲げられた起立部を有する器具本体と；上壁及び側壁を有したモジュール本体、この本体に装着された光源装置、及び互に遠ざかるように前記側壁から前記モジュール本体外に突出された一対の係合部を備え、これら係合部の先端間距離を相対向した前記壁の側面間距離より短くかつ前記起立部の相互間距離より長くし、前記モジュール本体の下部外面と前記起立部とが近接ないしは接する状態に前記モジュール本体の下部を前記起立部間に配置するとともに、前記起立部に前記係合部を上方から引掛けて、相対向した前記壁間に設置された光源モジュールと；を具備することを特徴としている。
【００１０】
この実施形態１で、器具本体が備える互に相対向する壁とは、器具本体が有する本体側壁同士を指し、又は、器具本体がその内部を複数の領域に仕切る仕切り壁を備える場合はこれら仕切り壁同士を指し、或いは、同じく器具本体が仕切り壁を備える場合はこの仕切り壁と本体側壁を指している。この実施形態１で、ベース部及び起立部は、器具本体の相対向する壁とは別体でこの壁に溶接等で固定された縁部材で形成されていても良いが、部品点数を削減する観点から器具本体の相対向する壁を一体に折り曲げて形成されていることが好ましい。
【００１１】
この実施形態１で、起立部は、ベース部に対して略直角（直角を含む）及びベース部との間に鈍角を形成して斜めに設けられていてもよい。この実施形態１で、光源装置には各種の光源装置を用いることができ、好適には、半導体発光素子例えばＬＥＤ（発光ダイオード）を発光素子として有したＬＥＤ光源装置を挙げることができる。この実施形態１で、光源装置は、モジュール本体の上壁又は側壁に装着することができる。
【００１２】
この実施形態１で、係合部には、例えば断面がＬ字形の係合部材を器具本体の本体側壁に固定することにより、本体側壁に対して略直角に突出された片を用いることが好ましい。この場合、係合部材は本体側壁の外面又は内面に固定することができ、後者の構成では本体側壁に係合部が有するスリット状の孔を設けて実施すれば良い。更に、この実施形態１で、係合部は、本体側壁が延びる方向と同方向に例えば全長にわたり延びていても、本体側壁に対して部分的に設けられていても差し支えない。
【００１３】
この実施形態１の照明器具は、例えばシステム天井用の照明器具に好適に適用できる他、天井直付け型や吊下げ型等の照明器具等にも適用可能である。
【００１４】
実施形態１では、光源モジュールを、器具本体の相対向した壁間に器具本体の下方から通して器具本体に収容した上で、光源モジュールが有した一対の係合部を、前記壁が有した起立部に上方から引掛けることにより、前記壁間に設置できる。こうした設置後の状態でモジュール本体の下部は起立部に近接ないしは接した状態に配置されているので、器具本体の相対向した壁の起立部にモジュール本体の下部が接離する方向に光源モジュールががたつくことを抑制することが可能である。
【００１５】
更に、実施形態１で、一対の係合部は以上のがたつきの抑制に寄与しておらず、これら係合部の先端間距離が器具本体の相対向した壁の起立部の相互間距離より長く形成されていて起立部に上方から引掛かっているので、一対の係合部は専ら器具本体に対する光源モジュールの取付けを担っている。そのため、一対の係合部の先端間距離が、器具本体の相対向した壁の側面間距離より短く、これら係合部の先端と器具本体の相対向した壁との間が離れているにも拘らず、前記がたつき抑制に悪影響を及ぼさない。
【００１６】
このようにモジュール本体の側壁に対する係合部の突出長さが短くて済むので、既述のように光源モジュールを器具本体の相対向した壁間に通す際に、係合部が邪魔になり難い。したがって、器具本体の相対向した壁間の大きさが、例えば光源モジュールの平面視形状と略同じ大きさである場合にも、器具本体の相対向した壁間に、光源モジュールを容易に通して、この光源モジュールの設置作業を行うことが可能である。
【００１７】
実施形態２の照明器具は、実施形態１において、前記ベース部が水平であるとともに、前記光源モジュールの下面が水平でかつ前記ベース部と略同じ高さに設けられていることを特徴としている。
【００１８】
この実施形態２で、光源モジュールの下面とは、光源モジュールがそのモジュール本体の下端に光源を覆う透光性の光源カバーを備えている構成では、光源カバー及びこのカバーの周部を支持するモジュール本体の下端を指しており、前記光源カバーを光源モジュールが備えていない構成では、モジュール本体の下面を指している。なお、前記光源カバーを光源モジュールが備えている構成で光源モジュールの下面とは、モジュール本体の下面に対してベース部の板厚に応じて光源カバーが上方に配置されている態様、若しくは、モジュール本体の下面とカバーの下面とが完全に面一である態様を含んでいる。更に、この実施形態２で、光源モジュールの下面がベース部と略同じ高さであるとは、これらが略面一をあることを指しているが、製造上の寸法誤差に基づく高さのばらつきを含んでいることは勿論である。
【００１９】
実施形態２では、実施形態１において、更に、器具本体の相対向する壁がその下端に有したベース部と、モジュール本体の下面とが略同じ高さであるので、外観上好ましいとともに、光源モジュールから下方に出射される光の出射角度を大きく確保することが可能である。
【００２０】
実施形態３の照明器具は、実施形態１又は２において、前記上壁が通孔を有しており、前記光源装置が複数個前記上壁に取付けられていて、これら光源装置に接続されたモジュール内リード線に、前記通孔を通ったモジュール外リード線が接続されているとともに、前記モジュール外リード線が前記モジュール内リード線より太いことを特徴としている。
【００２１】
この実施形態３では、実施形態１又は２において、更に、光源モジュールの取扱い時等に、モジュール外リード線に誤って張力が加えられた場合、線径が太いため強度が大きいモジュール外リード線が通っている通孔の部分で前記張力を受けて、線径が細いモジュール内リード線に前記張力が加わらないようにできる。それにより、モジュール内リード線が断線しないようにできる。
【００２２】
実施形態４の照明器具は、実施形態１から３のうちのいずれかにおいて、相対向した前記壁間に前記光源モジュールと並べて設置された設備プレートを備え、前記ベース部及び起立部が前記光源モジュールより長いとともに、前記設備プレートが設置される前の状態で前記起立部に引っ掛かっている前記光源モジュールが前記起立部に沿ってこの起立部の長手方向にスライド可能であることを特徴としている。この実施形態４で、設備プレートとは、空調用、煙感知器用、スプリンクラー用、スピーカ用、非常灯用、又は塞ぎ用等のプレートを指している。
【００２３】
この実施形態４では、実施形態１から３のいずれかにおいて、更に、設備プレートを設置する前に光源モジュールを器具本体に設置する場合に、この光源モジュールを器具本体の相対向した壁間の任意箇所に光源モジュールを通すことができる。これとともに、前記壁間に下方から通す際の作業空間を十分に確保できる。そして、光源モジュールを起立部に沿ってこの起立部の長手方向にスライドさせることにより、係合部が起立部に引掛かった状態を維持して光源モジュールを所定の位置に移動させることができる。したがって、器具本体に対する光源モジュールの設置作業をより容易に行うことが可能である。
【００２４】
実施形態５の照明器具は、実施形態１から４のうちのいずれかにおいて、前記器具本体にユニット着脱開口が開けられていて、この着脱開口を塞ぐように配置されるユニットホルダが前記器具本体の外部から取外し可能に前記器具本体に取付けられているとともに、このユニットホルダに前記器具本体に収容されて前記光源装置への給電を担う電源ユニットが取外し可能に支持されていることを特徴としている。この実施形態５で、ユニット着脱開口は器具本体の天井壁又は本体側壁に設けることができる。
【００２５】
この実施形態５では、実施形態１から４のいずれかにおいて、更に、設置された照明器具の器具本体の外部からユニットホルダが外されることに伴い、電源ユニットがユニット着脱開口を通って器具本体の外部に取出される。電源ユニットは、ユニットホルダから取外し可能であるので、その取外し後に新たな電源ユニットをユニットホルダに取付けた上で、この電源ユニットをユニット着脱開口に通して器具本体に収容することにより、ユニット着脱開口を塞ぐようにユニットホルダを配設できる。更に、この状態で、ユニットホルダを器具本体にその外部から取付けることで、器具本体をその設置箇所から外すことなく器具本体の外部から電源ユニットを交換することが可能である。
【実施例１】
【００２６】
以下、実施例１の照明器具について、図１〜図１５を参照して詳細に説明する。なお、図の理解を容易にするために、空調用の吹出しプレート７１は図１では簡略化して描いてあり、図２は第１の設備プレート５１の背面を示す情報等は省略して描いてあるとともに、器具本体５の構成は、図３及び図４では電源端子台８６及び端子台カバー８７を除いて図３及び図４中に記された一点鎖線を境に線対称であり、同様に、図５はそれらの図中に記された一点鎖線を境に線対称である。
【００２７】
図１及び図２中符号１はシステム天井を示している。このシステム天井１は、建物の天井部に格子状に配設されたバー材２と、このバー材２が形成した角形開口例えば正四角形の開口を塞いだ図示しない天井板と、この天井板が配設されていない前記正四角形の他の開口を塞いでバー材２に支持されたシステム天井用の照明器具３等を備えている。
【００２８】
バー材２は天井裏に配設された多数の図示しない吊りボルトに吊持されている。図３〜図５に示すようにバー材２には略Ｔ形のバー材が用いられている。バー材２は、それが延びる方向に直交する断面において、下側受け台部２ａ、この下側受け台部２ａの上方に設けられた上側受け台部２ｂ、これら受け台部を接続した接続板部２ｃを有している。下側受け台部２ａの横幅は上側受け台部２ｂの横幅より広い。この下側受け台部２ａは側面とこの側面から直角に折れ曲がった上面を有している。上側受け台部２ｂは、中空構造であり、その横幅は下側受け台部２ａの横幅より狭い。
【００２９】
図１に示すように照明器具３は、器具本体５と、一個以上例えば複数具体的には４個の光源モジュール２１と、例えば二個の第１の設備プレート５１、例えば二個の第２の設備プレート６１と、例えば一個の空調用吹出しプレート７１と、例えば二個の電源ユニット８１（図６及び図７参照）等を具備している。
【００３０】
器具本体５は、金属板により角箱状に組立てられていて、図３〜図６等に示すように本体天井壁６と、一対の第１本体側壁７と、一対の第２本体側壁８と、少なくとも一枚例えば２枚の仕切り壁９を備えている。
【００３１】
本体天井壁６は水平で正四角形をなしている。この本体天井壁６の互に平行な二辺から第１本体側壁７が下方に一体に折り曲げられていて、これら第１本体側壁７は互に平行である。第２本体側壁８は、本体天井壁６とは別体であり、本体天井壁６の互に平行な他の二辺及び第１本体側壁７の縁部に溶接止め等により固定されていて、これら第２本体側壁８は互に平行である。
【００３２】
仕切り壁９は、本体天井壁６、第１本体側壁７、及び第２本体側壁８とは別体であり、本体天井壁６に溶接止めされていて、第１本体側壁７と平行に設けられている。そのため、器具本体５内は三つの領域に分割されている。又、第１本体側壁７と仕切り壁９は横方向に相対向しているとともに、仕切り壁９同士も横方向に相対向している。
【００３３】
図３に示すように第１本体側壁７の下端部にベース部７ａ及び起立部７ｂが設けられている。これらベース部７ａ及び起立部７ｂは、第１本体側壁７の下端部に溶接止めされた第１縁部材の一部で形成されている。つまり、第１縁部材は、第１本体側壁７に対向する仕切り壁９に向けて第１本体側壁７の下端から水平に折れ曲がるように設けられたベース部７ａと、このベース部７ａから上向きに折り曲げられた部位からなる起立部７ｂを有している。これらベース部７ａ及び起立部７ｂは第１本体側壁７の全長にわたって延びている。
【００３４】
同様に、仕切り壁９の下端部にベース部９ａ及び起立部９ｂが設けられている。これらベース部９ａ及び起立部９ｂは、仕切り壁９の下端部に溶接止めされた第２縁部材の一部で形成されている。つまり、第２縁部材は、仕切り壁９に対向する第１本体側壁７に向けて仕切り壁９の下端に溶接止めされた水平なベース部９ａと、このベース部９ａの一端から上向きに折り曲げられた部位からなる起立部９ｂを有している。これらベース部９ａ及び起立部９ｂは仕切り壁９の全長にわたって延びている。
【００３５】
第１本体側壁７のベース部７ａと、第１本体側壁７に対向した仕切り壁９のベース部９ａは互に近付く方向に突出されている。図３に示すように前記第２縁部材は受け部９ｃを有している。この受け部９ｃは、第２縁部材が固定された仕切り壁９に対向した他の仕切り壁９側に位置されたベース部９ａの他端から上向きに折り曲げられている。
【００３６】
更に、図３に示すように前記第１縁部材は下側受け台部２ａに上方から引っ掛かる載置部７ｃを有している。前記第１縁部材はベース部７ａから折れ曲がって第１本体側壁７の下端部外面に溶接止めされている。又、図４及び図５に示すように第２本体側壁８は下側受け台部２ａに上方から引っ掛かる水平な載置部８ｃを有している。載置部８ｃは、第２本体側壁８の下端をその下端部外面に重ねて折り曲げるとともに、この折り曲げ部の上端を水平に折り曲げて形成されている。この載置部８ｃは載置部７ｃと同じ高さに位置されている。
【００３７】
したがって、これら載置部７ｃ、８ｃをバー材２の下側受け台部２ａに上方から引掛けることにより、器具本体５が、バー材２が形成した角形開口を塞いでバー材２に保持されている。更に、第２本体側壁８の外面に落下防止金具１０が夫々取付けられている。落下防止金具１０は、既述のようにバー材２上に器具本体５が載置されるに伴い、上側受け台部２ｂの上面に接する部位、及び上部受け台部２ｂにその下側から引掛かり可能な位置に配設される引掛かり片を有している。この引掛かり片は弾性変形が可能である。
【００３８】
図６及び図７に示すように本体天井壁６に、第１の開口１１と、第２の開口１２と、ユニット着脱開口１３と、第３の開口１４が夫々開けられている。
【００３９】
第１の開口１１は、例えば長方形であり、一対の仕切り壁９間の器具内領域に対向して設けられている。この第１の開口１１には後述する空調吹出し口及びリターンエアーを導くダクトの端部等を配設可能である。第２の開口１２及びユニット着脱開口１３は、第１本体側壁７と仕切り壁９間の器具内領域に対向して夫々一対設けられている。第２の開口１２は、例えば四角形であり、第１本体側壁７と仕切り壁９間の器具内領域の長手方向中央部に対向している。この第２の開口１２にはリターンエアーを導くダクトの端部等を配設可能である。ユニット着脱開口１３は、長方形であり、仕切り壁９に寄せてこの壁と平行で、かつ、第２本体側壁８のうちの一方に寄せて設けられていて、第２の開口１２に連続している。第３の開口１４は、第１本体側壁７のうちの一方と、仕切り壁９のうちの一方との間の器具内領域に対向して設けられている。
【００４０】
更に、図３〜図５に示すように器具本体５の第１本体側壁７の上部と第２本体側壁８の上部に、夫々通気孔１５が設けられている。
【００４１】
図８に示すように各光源モジュール２１は四角い箱状をなしている。これらの光源モジュール２１は、図３及び図４等に示すようにモジュール本体２３と、１以上例えば複数具体的には４個の光源装置３１と、枠部材４１と、透光性の光源カバー４４と、一対の係合部４６等を備えている。
【００４２】
モジュール本体２３は、いずれも金属好ましくは熱伝導性が良好なアルミニウム又はその合金により形成された上壁２４、第１側壁２５、及び第２側壁２６を有して下面が開口された四角い箱状に組立てられている。このモジュール本体２３の内面は光反射面となっている。この光反射面は、モジュール本体の内面自体であっても良く、或いは前記内面に白色塗料を塗布する等により設けられた光反射層であっても良い。
【００４３】
上壁２４は、水平であり、図９に示すように平面視四角形例えば正方形である。この上壁２４に、後述する光源装置３１の数と同数若しくはこれより少ない数の通孔２７が設けられている。第１側壁２５は、上壁２４の互に平行な一対の縁から下方に折り曲げて設けられている。第２側壁２６は、上壁２４及び第１側壁２５とは別体であり、上壁２４の互に平行な他の一対の縁及び第１の側縁の縁にねじ止め等により固定されている。なお、第１側壁２５及び第２側壁２６は、図３及び図４に示すように上壁２４に対して略直角に設けられているが、これに代えて、光源モジュール２１がその下面開口側ほど広がるように上壁２４に対して斜めに設けることも可能である。
【００４４】
各光源装置３１は、モジュール構造をなしていて、図１０に示すように装置基板３２と、発光モジュール部３３と、モジュールコネクタ３４を有している。
【００４５】
装置基板３２は、図示しないプリント配線が設けられた平板であり、その周部例えば四隅に、固定用部位例えばねじ通し部を有している。
【００４６】
発光モジュール部３３は装置基板３２の中央部に設けられている。この発光モジュール部３３は、電気的に互に接続された複数の発光素子（図示しない）を有してなる。各発光素子には、半導体発光素子、特に省エネルギー効果に優れたＬＥＤを用いることができ、具体的には、青色発光をするＬＥＤチップが用いられている。そして、白色発光ができるようにするために、発光モジュール部３３は、蛍光体層、例えばＬＥＤチップの発光色と補色の関係にある黄色の光を放射する蛍光体が混ぜられた透光性封止部材を有していて、この封止部材により各ＬＥＤチップが封止されている。
【００４７】
モジュールコネクタ３４は装置基板３２の周部に装着されている。モジュールコネクタ３４に発光モジュール部３３のＬＥＤチップが電気的に接続されている。このモジュールコネクタ３４にはモジュール本体２３の内部に配線されるプラス用及びマイナス用のモジュール内リード線３５（図１０参照）が着脱可能である。
【００４８】
前記構成の光源装置３１はモジュール本体２３に着脱可能に取付けられている。即ち、図１０に示すように各光源装置３１は、その発光モジュール部３３を下方に向けて上壁２４の四隅部に取外し可能なねじ３６で取付けられている。ねじ３６は、モジュール本体２３の内部から装置基板３２のねじ通し部を通って上壁２４にねじ込まれている。それにより、装置基板３２の裏面が上壁２４に密接されて、光源装置３１からモジュール本体２３に熱伝導ができるように光源装置３１が上壁２４に取付けられている。こうして取付けられた光源装置３１の装置基板３２は、例えば図９に示すように通孔２７の一部を塞いでこの通孔２７を横切っている。
【００４９】
４個の光源装置３１は、そのモジュールコネクタ３４に接続されたモジュール内リード線３５により電気的に直列に接続されている（図１５参照）。この直列回路の両端に位置されたモジュール内リード線３５の端末部には、夫々電気コネクタ３７（図１５参照）を介してモジュール外リード線３８の一方の端末部が接続されている。電気コネクタ３７は着脱可能であり、その着脱操作することによってモジュール内リード線３５とモジュール外リード線３８とは着脱可能である。
【００５０】
モジュール内リード線３５とモジュール外リード線３８はいずれも絶縁被覆電線からなる。モジュール内リード線３５の線径は、モジュール外リード線３８の線径より細く、例えば0.5ｍｍ以下である。このモジュール内リード線３５より太いモジュール外リード線３８の線径は例えば0.8ｍｍ以上である。
【００５１】
２本のモジュール外リード線３８は、図９に示すように複数の通孔２７のうちの一つに通されてモジュール本体２３外に引き出されている。これらモジュール外リード線３８の他端に外部電線コネクタ３９が夫々接続されている。外部電線コネクタ３９はモジュール本体２３の外部に位置されている。
【００５２】
光源モジュール２１の取扱い時等において、モジュール外リード線３８に誤って張力が加えられることがある。この場合、以上説明した光源モジュール２１での配線構造によれば、線径が太いため強度が大きいモジュール外リード線３８が通っている通孔２７の部分で前記張力を受けて、線径が細いモジュール内リード線３５に前記張力が加わらないようにできる。そのため、モジュール内リード線３５が前記張力で断線することを抑制することが可能である。
【００５３】
枠部材４１は、例えば金属製であり、図８に示すように四角枠状に形成されていて、モジュール本体２３の下部に取外し可能なねじにより固定されている。図３及び図４に示すように枠部材４１はその下端に水平なカバー受け部４１ａを有している。
【００５４】
光源カバー４４は例えば拡散透光性の合成樹脂具体的にはアクリル樹脂の四角い平板からなる。図３等に示すように光源カバー４４は、その周縁部をカバー受け部４１ａに載せて、枠部材４１に支持されている。それにより、光源カバー４４は枠部材４１の開口及びモジュール本体２３の下面開口を閉じている。
【００５５】
光源カバー４４には、これを通して視認される発光モジュール部３３のイメージを軽減する軽減手段を設けることが好ましい。この軽減手段としては、光源カバー４４の裏面などに不透光性のドットを無数に印刷し、そのドット密度を発光モジュール部３３の直下の領域を最も高くするとともに、この領域から遠ざかるに従いドット密度を次第に低くした印刷パターンを例示できる。
【００５６】
係合部４６は金属製の係合部材４６ａの折り曲げられた下部で形成されている。そのため、係合部材４６ａは図３に示すように断面Ｌ字形をなしている。係合部材４６ａは一対備えられ、これらはモジュール本体２３の互に平行な第１側壁２５の下部外面に固定されている。この固定には、例えば第１側壁２５に枠部材４１を固定するねじが共用されている。
【００５７】
この固定により、一対の係合部４６は、互に遠ざかる方向に突出されて、モジュール本体２３の外部に水平に設けられている。これら一対の係合部４６の先端間距離Ｌは、図３に示すように横方向に相対向した壁、例えば第１本体側壁７とこれに対向した仕切り壁９の側面間距離Ｎより短いとともに、同様に第１本体側壁７とこれに対向した仕切り壁９の起立部９ａの相互間距離Ｍより長く設定されている。
【００５８】
前記構成の光源モジュール２１は、図１に示すように器具本体５の下面四隅に夫々取外し可能に設置されている。これら光源モジュール２１の器具本体５への設置は以下の手順で行われる。
【００５９】
まず、第１本体側壁７とこれに対向した仕切り壁９間に光源装置３１を下方から上方に通して、この光源モジュール２１を器具本体５内に導く。次に、光源モジュール２１と第１本体側壁７の起立部７ｂ及び仕切り壁９の起立部９ｂとの対応関係が適正となるように器具本体５内で光源モジュール２１の位置を修正する。最後に、光源モジュール２１を落とし込むように動かして、その一対の係合部４６を起立部７ｂ及びこれに向かい合っている起立部９ｂに上方から引掛ける。それにより、図３に示すように光源モジュール２１を第１本体側壁７とこれに対向した仕切り壁９間に設置できる。
【００６０】
なお、図３及び図４中符号４８は紐の両端にフックを有した落下防止用の紐を指している。この紐４８が有した一方のフックは本体天井壁６に引掛けられ、紐４８が有した他方のフックはモジュール本体２３の上壁２４に引掛けられている。こうした紐４８の取付けは、以上説明した器具本体５への光源モジュール２１の設置に先立って行われる。この紐４８によって、光源モジュール２１を設置する際及び設置後に、光源モジュール２１が不用意に脱落することを防止できる。
【００６１】
既述の手順で器具本体５に設置された光源モジュール２１の下面、つまり、枠部材４１のカバー受け部４１ａ及び光源カバー４４の下面は、水平であるとともに、図３等に示すように第１本体側壁７の水平なベース部７ａ及び仕切り壁９の水平なベース部９ａと略同じ高さに設けられている。
【００６２】
又、後述する第２の設備プレート６１を設置する前に光源モジュール２１を器具本体５に設置する場合には、以下の点で設置作業上有利である。
【００６３】
つまり、第１本体側壁７及び仕切り壁９が延びる方向の光源モジュール２１の幅は、第１本体側壁７及び仕切り壁９の全長より短いので、光源モジュール２１を、器具本体５の第１本体側壁７とこれに対向した仕切り壁９との間の任意箇所で、器具本体５内に通すことができる。これにより、器具本体５の本体天井壁６に取付けられた部品に光源モジュール２１が干渉し難い箇所で、器具本体５内への光源モジュール２１の挿入を行うことが可能である。これとともに、係合部４６を起立部７ｂ，９ｂに上方から引掛ける際の作業空間を光源モジュール２１の両側に十分に確保できる。
【００６４】
しかも、こうした作業後に、光源モジュール２１を起立部７ｂ，９ｂに沿ってこの起立部７ｂ，９ｂの長手方向にスライドさせ、係合部４６が起立部７ｂ，９ｂに引掛かった状態を維持したままで、光源モジュール２１を所定の位置に移動させることができる。
【００６５】
したがって、以上の手順により、器具本体５に対する光源モジュール２１の設置作業を、より容易に行うことが可能である。
【００６６】
前記４個の光源モジュール２１のうちで、第１本体側壁７の一方とこれに対向した仕切り壁９との間に配置された二個の光源モジュール２１は、図１５に示すように電気的に並列に接続されている。図１５中符号４９はモジュール外リード線３８を並列に接続するためにコネクタを示している。同様に、他の第１本体側壁７とこれに対向した他の仕切り壁９との間に配置された他の二個の光源モジュール２１も、電気的に並列に接続されている。
【００６７】
前記第１の設備プレート５１と第２の設備プレート６１は、図１に示すように光源モジュール２１に対して横方向（水平方向）に並べて、これら光源モジュール２１間に夫々配置されている。以下、第１の設備プレート５１についての構成を説明する。
【００６８】
第１の設備プレート５１は図１１に示すように互に平行な吸込み口５０ａを下面に有し、上面中央部に図１２に示すように通気開口５０ｂを有しているとともに、内部に仕切板５２を有している。又、第１の設備プレート５１の下面は粉体塗装されて白色の光反射面となっている。
【００６９】
吸込み口５０ａは、仕切板５２とこれに対向しかつ平行なプレート側板５３との間に設けられている。仕切板５２が有する通気口５２ａを通して、吸込み口５０ａと通気開口５０ｂとは連通されている。通気開口５０ｂを相互間に形成する第１の設備プレート５１の上板５４は、吸込み口５０ａ及び通気口５２ａを通して第１の設備プレート５１の上方が視認されることを防止する遮壁となるように吸込み口５０ａより幅広に形成されている。
【００７０】
第１の設備プレート５１は、プレート側板５３に対して直角となるように位置されるとともに互に平行な他のプレート側板５５を有している。これらプレート側板５３と他のプレート側板５５の互に接近した端間にはスリット５６が形成されている。
【００７１】
二個の第１の設備プレート５１は、相対向した仕切り壁９間に以下の手順で設置されている。
【００７２】
まず、相対向した仕切り壁９間に第１の設備プレート５１を下方から通して、この第１の設備プレート５１を器具本体５内に導く。次に、第１の設備プレート５１と仕切り壁９の起立部９ｂとの対応関係が適正となるように器具本体５内で第１の設備プレート５１の位置を修正する。最後に、第１の設備プレート５１を落とし込むように動かして、そのプレート側板５３が受け部９ｃの裏面に重なるようにベース部９ａに上方から引掛ける。この引掛けは、スリット５６に起立部９ｂの一部が入り込むことにより可能である。それにより、図３に示すように第１の設備プレート５１を相対向した仕切り壁９間に設置できる。
【００７３】
図１３及び図１４は第２の設備プレート６１を示す斜視図である。この設備プレート６１は、四角い平板からなるプレート本体６２の互に平行な二辺を折り曲げて形成された係合縁６３を有している。更に、第２の設備プレート６１は、一対の気流ガイド板６４を備えている。これら気流ガイド板６４はプレート本体６２の互に平行な他の二辺の裏側に溶接止めされていて、立上がり部と、これから折れ曲がった水平部と、この水平部の先端から折れ曲がった下向き縁部を有している。立上がり部にはガイド通孔６５が開口されている。
【００７４】
この設備プレート６１は、その係合縁６３を、仕切り壁９の起立部９ｂにその上方から着脱可能に引掛けて、相対向した仕切り壁９間に設置されて、器具本体５の下面中央部等を閉じて配置されている。即ち、二個の第２の設備プレート６１は、第１本体側壁７とこれに対向した仕切り壁９との間に以下の手順で設置されている。
【００７５】
まず、第１本体側壁７とこれに対向した仕切り壁９間に第２の設備プレート６１を下方から通して、この第２の設備プレート６１を器具本体５内に導く。次に、第２の設備プレート６１と前記枠部材４１のプレート受け部４２（図４参照）との対応関係が適正となるように器具本体５内で第２の設備プレート６１の位置を修正する。プレート受け部４２は、片方の第２本体側壁８の外面に対向する枠部材４１の部位で形成されており、例えばカバー受け部４１から上向きに折れ曲がっている。最後に、第２の設備プレート６１を落とし込むように移動させて、その気流ガイド板６４をプレート受け部４２に上方から引掛ける。それにより、図４に示すように第２の設備プレート６１は光源モジュール２１に上方から引掛け支持されて、第１本体側壁７とこれに対向した仕切り壁９間に設置される。
【００７６】
この設置によって、設備プレート６１の係合縁６３が仕切り壁９の受け部９ｃ側面に重なるように係合する。これによって、第２の設備プレート６１を挟むようにその両側に配設されている仕切り壁９間で、第２の設備プレート６１ががたつくことを抑制できる。
【００７７】
なお、図３及び図５中符号５８は紐の両端にフックを有した落下防止用の紐を指している。この紐５８が有した一方のフックは本体天井壁６に引掛けられ、紐５８が有した他方のフックは第１の設備プレート５１又は第２の設備プレート６１の上板５４に引掛けられている。こうした紐５８の取付けは、以上説明した器具本体５への光源モジュール２１の設置に先立って行われる。これらの紐５８によって、第１の設備プレート５１及び第２の設備プレート６１を設置する際及び設置後に、これら第１の設備プレート５１及び第２の設備プレート６１が不用意に脱落することを防止できる。
【００７８】
図１及び図５中符号７１で示した吹出しプレート７１は、「アネモ」と通称されており、例えば器具本体５の下面中央部に取外し可能に設置されている。相対向した仕切り壁９への吹出しプレート７１の支持の仕方は、第２の設備プレート６１の設置の仕方と同様であり、吹出しプレート７１が有した図示しない係合縁を仕切り壁９の起立部９ｂにその上方から引掛けることで実現されている。この吹出しプレート７１も前記紐４８，５８と同様な図示しない紐で落下防止措置を施されている。
【００７９】
図５に示すように吹出しプレート７１はその裏側にエアーの吹出し部材７２を備えている。吹出し部材７２の下端をなすエアー出口７３は吹出しプレート７１に開口されている。吹出し部材７２の上部は前記第１の開口１１に通されていて、その上端部にはエアー供給用の配管（図示しない）が接続されるようになっている。
【００８０】
前記電源ユニット８１は、図示しない端子台や整流回路及びインバータ回路を備えて形成されており、既述のように並列に接続された二個の光源モジュール２１を点灯させるために用いられている。したがって、図１の照明器具３は電源ユニット８１をニ個備えている。
【００８１】
図６等に示すように各電源ユニット８１はそれ毎に用意されたユニットホルダ８２に複数の第１のねじ８３により支持されている。これら第１のねじ８３は取外し可能である。したがって、ユニットホルダ８２に電源ユニット８１は取外し可能に支持されている。なお、ユニットホルダ８２に電源ユニット８１は取外し可能に支持する手段はねじに制約されない。
【００８２】
ユニットホルダ８２は、電源ユニット８１を前記ユニット着脱開口１３に通して器具本体５に収容させた状態で、器具本体５の本体天井壁６にねじ止めされている。このねじ止めを担う複数の第２のねじ８４は、器具本体５の上方から取外し可能である。したがって、ユニットホルダ８２は、器具本体５に対してその外部から取外し可能である。
【００８３】
図３及び図４に示すように器具本体５の本体天井壁６の下面に電源端子台８６が取付けられている。又、符号８７は本体天井壁６に取付けられて第３の開口１４を上方から覆う端子台カバーを示している。電源端子台８６は前記第３の開口１４に臨んでいる。電源端子台８６の上面に開放して第３の開口１４に臨んだ電源線接続口には、天井裏に配線された電源線が差し込み接続される。これとともに、電源端子台８６の側面に開口された負荷線接続口には、器具内配線が差し込み接続され、この器具内配線は電源ユニット８１に接続される。
【００８４】
前記構成の照明器具３は、予め組立てられた状態で、器具本体５をバー材２が形成した角形開口に通してから、載置部７ｃ、８ｃをバー材２の下側受け台部２ａに上方から引掛けるとともに、落下防止金具１０をバー材２の上側受け台部２ｂに上方から引掛けることにより、前記角形開口を塞いでバー材２に取付けられる。
【００８５】
又、照明器具３の組立て及びバー材２に照明器具３が取付けられた状態で、器具本体５の下部に光源モジュール２１を設置する手順は、既に説明した通りである。再度、記載すれば、光源モジュール２１を器具本体５の第１本体側壁７とこれに対向した仕切り壁９との間に器具本体５の下方から通して器具本体５に収容した後に、この光源モジュール２１が有した一対の係合部４６を、第１本体側壁７が有した起立部７ｂ及び第１本体側壁７に対向した仕切り壁９が有した起立部９ｂに上方から引掛けることにより、第１本体側壁７とこれに対向した仕切り壁９との間に設置できる。
【００８６】
設置後の状態では、図３に示すようにモジュール本体２３の下部側面が起立部７ｂ、９ｂに近接ないしは接した状態に配置されている。そのため、器具本体５の第１本体側壁７が有した起立部７ｂ及び第１本体側壁７に対向した仕切り壁９が有した起立部９ｂに、モジュール本体２３の下部が接離する方向に光源モジュール２１ががたつくことを抑制できる。
【００８７】
この場合、光源モジュール２１が有した一対の係合部４６の先端間距離Ｌは、第１本体側壁７及びこれに対向した仕切り壁９間の側面間距離Ｎより短く形成されているので、係合部４６の先端は第１本体側壁７の側面及び仕切り壁９の側面から比較的大きく離れている。したがって、一対の係合部４６は以上のがたつきの抑制には寄与していない。
【００８８】
しかし、これら係合部４６の先端間距離Ｌは、第１本体側壁７の起立部７ｂ及びこれに対向した仕切り壁９の起立部９ｂの相互間距離（なお、起立部間距離とも称することができる。）Ｍより長く形成されていて、係合部４６は夫々の起立部７ｂ，９ｂに上方から引掛かっている。したがって、一対の係合部４６は専ら器具本体５に対する光源モジュール２１の取付けを担っている。
【００８９】
以上のように前記照明器具３は、光源モジュール２１の器具本体５に対するがたつき抑制の機能と、光源モジュール２１が器具本体５から落ちないように支持する機能とを、一対の係合部４６で兼ねる構成ではなく、分けた構成となっている。これとともに、前記両機能を得るために、特別な部品を要しないので、照明器具３の構成が簡単である。
【００９０】
以上のように機能を担う箇所を分離したことにより、一対の係合部４６の先端間距離Ｌが、器具本体５の相対向した壁、即ち、第１本体側壁７及びこれに対向した仕切り壁９の側面間距離Ｎより短くでき、かつ、それにより係合部４６の先端と第１本体側壁７及び仕切り壁９との間が夫々離れるにも拘らず、前記がたつき抑制に悪影響を及ぼさない。
【００９１】
以上のようにモジュール本体２３の第１側壁２５に対する係合部４６の突出長さが短くて済むので、既述のように光源モジュール２１を器具本体５の第１本体側壁７とこれに対向した仕切り壁９との間に通す際に、係合部４６が邪魔になり難い。したがって、器具本体５の第１本体側壁７とこれに対向した仕切り壁９との間の大きさが、例えば光源モジュール２１の平面視形状と略同じ大きさである場合にも、器具本体５の第１本体側壁７とこれに対向した仕切り壁９との間に、光源モジュール２１を容易に通すことが可能である。それに伴い、光源モジュール２１の設置作業を容易に行うことが可能である。
【００９２】
前記構成の照明器具３の点灯中、各光源モジュール２１の各光源装置３１が有した発光モジュール部３３は白色系の光を発光する。この光は、下方に対向している光源カバー４４で拡散されて、照明器具３の下方空間を照明するように光源カバー４４を透過する。
【００９３】
器具本体５の第１本体側壁７がその下端に有したベース部７ａ、及び第１本体側壁７に対向した仕切り壁９がその下端に有したベース部９ａと、枠部材４１のカバー受け部４１ａ及び光源カバー４４により形成されたモジュール本体２３の下面とは、略同じ高さである。そのため、照明器具３の下面に目立つ凹凸がなく外観上好ましい。
【００９４】
これとともに、前記照明において、光源モジュール２１から下方に出射される光の出射角度を大きく確保することが可能である。
【００９５】
更に、起立部７ｂ，９ｂに上方から引っ掛っている係合部４６は、起立部７ｂ，９ｂに沿って長く延びて形成されている。そのため、起立部７ｂ，９ｂとモジュール本体の第１側壁２５との間に、寸法のばらつきに起因する隙間が形成されることがあっても、それを目立たなくすることができるので、この点でも照明器具の外観上好ましい。
【００９６】
又、照明器具３の点灯中、各発光モジュール部３３が有したＬＥＤチップは発熱する。この熱は、装置基板３２を経由してこの装置基板３２が密接しているモジュール本体２３の上壁２４に伝導されるとともに、モジュール本体２３全体に拡散されながらこのモジュール本体２３の外部の空間に放出される。更に、モジュール本体２３は複数の通孔２７を有しているので、モジュール本体２３の下端が光源カバー４４で塞がれているにも拘らず、各通孔２７を通ってモジュール本体２３内の熱気を外部に排出できる。そして、光源モジュール２１から熱が放出される器具本体５内の空気は、通気孔１５を通って器具本体５の外部の空気と置換される。
【００９７】
したがって、各発光モジュール部３３が有したＬＥＤチップの発光性能の低下や発光色が変化しないように、このＬＥＤチップの温度過昇を抑制できる。
【００９８】
しかも、各発光モジュール部３３の装置基板３２の一部は、夫々通孔２７に露出されているので、装置基板３２から通孔２７を通してモジュール本体２３の外部に直接に放熱できる。それに伴い、更に、放熱性能を向上することが可能である。
【００９９】
なお、モジュール本体２３からの放熱性能が高い場合には、その上壁２４に設ける通孔２７の数を光源装置３１の数より減らした構成とすることができる。それにより、光源カバー４４でその上方に反射された光が、通孔２７を通って上方に漏れる箇所が減るので、それに伴う光量のロス分が減る。そのため、照明に寄与する光量を増やすことが可能である。
【０１００】
又、バー材２に設置された照明器具３の使用後に、光源モジュール２１を交換する必要を生じた場合、器具本体５に対する該当する新旧の光源モジュール２１の取付け手順は、既に説明した手順と同じであり、又、取外し手順は取付け手順と逆の手順で行えば良い。
【０１０１】
この交換において、該当する新旧の光源モジュール２１と電源ユニット８１との接続及び分離は、外部電線コネクタ３９を着脱操作することで簡単に実施できる。そのため、必要な光源モジュール２１のみを交換することが可能である。
【０１０２】
しかも、光源モジュール２１のモジュール内リード線３５は、モジュールコネクタ３４に対して着脱可能であるとともに、モジュール外リード線３８に対しても電気コネクタ３７を介して着脱可能である。加えて、各光源装置３１はそれが取付けられた部位であるモジュール本体２３の上壁２４にねじ３６により着脱可能である。そのため、照明器具３の使用後に、点灯不良となった光源装置３１のみを単独に交換することも可能である。
【０１０３】
又、バー材２に設置された照明器具３の使用後に、電源ユニット８１を交換する必要を生じた場合は、照明器具３がバー材２に設置された状態のままで、以下の手順で行えば良い。
【０１０４】
まず、器具本体５の上方から第１のねじ８３を外して、ユニットホルダ８２を引き上げることにより、電源ユニット８１をユニット着脱開口１３に通して器具本体５から引き出すことができる。この場合、引き出した状態で、外部電線コネクタ３９を外すことにより、光源モジュール２１との電気的接続を解除できる。
【０１０５】
次に、地上側などで、第２のねじ８４を外すことによりユニットホルダ８２から交換対象の古い電源ユニット８１を外す。この後、交換対象の新しい電源ユニットを第２のねじ８４を用いてユニットホルダ８２に取付ける。
【０１０６】
最後に、前記取外しの手順と逆に、器具本体５の上方で外部電線コネクタ３９に新しい電源ユニットの電線を接続してから、この新たな電源ユニット８１をユニット着脱開口１３にその上方から通して器具本体５に収容する。この状態で、器具本体５の本体天井壁６に上側から接しているユニットホルダ８２の両端部を、夫々第１のねじ８３を用いて本体天井壁６にその上方から固定する。
【０１０７】
以上のように電源ユニット８１は、ユニットホルダ８２に対して取外し可能であるので、その取外し後に新たな電源ユニットをユニットホルダ８２に取付けた上で、この電源ユニットをユニット着脱開口１３に通して器具本体５に収容して、ユニット着脱開口１３を塞ぐように配設されたユニットホルダ８２を配設できる。更に、この状態で、ユニットホルダ８２を器具本体５にその外部から取付けることで、器具本体５をその設置箇所から外すことなく、器具本体５の外部から電源ユニットを交換することが可能である。
【実施例２】
【０１０８】
図１６〜図２０は実施例２を示している。実施例２は以下説明する事項が実施例１とは相違しており、それ以外の構成は実施例１と同じであるため、実施例１と同一ないしは同様の機能を奏する構成については、実施例１と同じ符号を付してその説明を省略する。
【０１０９】
この実施例２の照明器具は、実施例１で説明した第１の設備プレート及びこれらの間に設置される塞ぎ用のプレート又は吹出し用の設備プレート７１に代えて、一個のプレート体９１を用いた点が実施例１とは異なる。
【０１１０】
詳しくは、プレート体９１は、金属製であって、ベース板９２、一対のリターンエアーのガイド部９３、及び一対の係合部４６を備えている。
【０１１１】
ベース板９２は略長方形であり、その下面は白色の光反射面となっている。このベース板９２の長手方向両端側部分でかつこの部分の幅方向両側部分に夫々吸込み口５０ａが開口されている。各吸込み口５０ａは、長方形で、ベース板９２の長手方向に沿って延びている。
【０１１２】
ガイド部９３は、ベース板９２の長手方向両端側部分の裏面に設けられていて、ベース板９２の長手方向に直交した方向（幅方向）に位置された二個の吸込み口５０ａにわたっている。このガイド部９３は、平面視四角い配置に設けられた第１側板９３ａ〜第４側板９３ｄと、これらを覆ってねじ止めされた天板９５を有している。
【０１１３】
天板９５は、相対向した第１側板９３ａ及び第２側板９３ｂから食み出して下方に折れ曲がって、吸込み口５０ａを上方から覆う部位とこれから下方に折れ曲がった部位とからなる吸込み口覆い部９５ａを一対有している。この吸込み口覆い部９５ａに対向する第１側板９３ａ及び第２側板９３ｂには、図１９及び図２０で代表するように通気口９６が開口されている。又、天板９５には吸込み口覆い部９５ａ間に位置して通気開口５０ｂ（図２０参照）が開けられている。
【０１１４】
一対の係合部４６は、ベース板９２の長手方向中央部でかつベース板９２の幅方向両側の縁部を折り曲げて形成されている。これら係合部４６は、図２０で代表するようにベース板９２の縁を上向きに折り曲げた後に、外側に向けて水平に折り曲げて形成されているとともに、図１８に示すようにガイド部９３に渡るようにベース板９２の長手方向に延びて設けられている。
【０１１５】
これら係合部４６の水平な部位は、互に遠ざかる方向に突出されている。これら一対の係合部４６の先端間距離Ｌは、図２０に示すように相対向した仕切り壁９の側面間距離Ｎより短いとともに、同様に相対向した仕切り壁９の受け部（起立部）９ｃ間の距離Ｍａより長く設定されている。
【０１１６】
前記構成のプレート体９１は相対向した仕切り壁９間に着脱可能に設置される。この
の設置手順では、まず、相対向した仕切り壁９間にガイド部９３を下方から通して、このガイド部９３を器具本体５内に導く。次に、ガイド部９３と仕切り壁９の起立した受け部９ｃとの対応関係が適正となるように器具本体５内でガイド部９３の位置を修正する。最後に、ガイド部９３を落とし込むように動かして、その一対の係合部４６をこれに向かい合っている受け部９ｃに上方から引掛ける。これにより、各天板９５の吸込み口覆い部９５ａの下端部が、受け部９ｃに重なるように仕切り壁９のベース部９ａに上方から引掛けられて、図２０に示すようにガイド部９３を仕切り壁９間に設置することができる。又、以上と逆の手順でプレート体９１を器具本体５から外すことができる。
【０１１７】
この実施例２では、器具本体５に取付けられる部品数が削減されるので、照明器具の組立を容易に行うことができる。
【０１１８】
実施例２の照明器具は、以上説明した事項以外の構成は図示されない構成を含めて実施例１と同じである。したがって、この実施例２においても、前記課題が解決されて、光源モジュールの設置作業性を改善しつつ、設置された光源モジュールのがたつきを抑制可能な照明器具を提供できる。
【実施例３】
【０１１９】
図２１は実施例３を示している。実施例３は以下説明する事項が実施例１とは相違しており、それ以外の構成は実施例１と同じであるため、実施例１と同一ないしは同様の機能を奏する構成については、実施例１と同じ符号を付してその説明を省略する。
【０１２０】
この実施例３は、仕切り壁９の受け部９ｃの構成が実施例１とは異なる。即ち、仕切り壁９の下端部に溶接止めされた第２縁部材の受け部９ｃは、ベース部９ａに積層するよう折り曲げて形成されている。この受け部９ｃの上面に、第１の設備プレート５１の縁部が載置されている。
【０１２１】
これにより、仕切り壁９の側面に対する受け部９ｃの出幅をより短くできるので、それに応じて第１の設備プレート５１の吸込み口５０ａを大きく確保できる。したがって、第１の設備プレート５１を通る通気風量を増やすことができる。
【０１２２】
更に、実施例３では、第１の設備プレート５１に他の通気開口５０ｃが吸込み口５０ａの略真上に対向する位置に設けられている。これにより、吸込み口５０ａに吸い込まれた空調用のリターンエアーの一部が、仕切板５２で大きく蛇行されることなく、前記他の通気開口５０ｃを通しても流通される。したがって、リターンエアーが第１の設備プレート５１を通り易くなるので、リターンエアーの風量を増やす上で好ましい。
【０１２３】
実施例３の照明器具は、以上説明した事項以外は図示されない構成を含めて実施例１と同じである。したがって、この実施例３においても、前記課題が解決されて、光源モジュール２１の設置作業性を改善しつつ、設置された光源モジュール２１のがたつきを抑制可能な照明器具３を提供できる。
【符号の説明】
【０１２４】
３…照明器具、５…器具本体、７…第１本体側壁、７ａ…ベース部、７ｂ…起立部、９…仕切り壁、９ａ…ベース部、９ｂ…起立部、１３…ユニット着脱開口、２１…光源モジュール、２２…モジュール本体、２４…上壁、２５…第１側壁、２６…第２側壁、２７…通孔、３１…光源装置、３５…モジュール内リード線、３７…電気コネクタ、３８…モジュール外リード線、４０…係合部、Ｌ…先端間距離、Ｎ…側面間距離、Ｍ…起立部の相互間距離、８１…電源ユニット、８２…ユニットホルダ
【図１】
0005614111.tif 000002
【図２】
0005614111.tif 000003
【図３】
0005614111.tif 000004
【図４】
0005614111.tif 000005
【図５】
0005614111.tif 000006
【図６】
0005614111.tif 000007
【図７】
0005614111.tif 000008
【図８】
0005614111.tif 000009
【図９】
0005614111.tif 000010
【図１０】
0005614111.tif 000011
【図１１】
0005614111.tif 000012
【図１２】
0005614111.tif 000013
【図１３】
0005614111.tif 000014
【図１４】
0005614111.tif 000015
【図１５】
0005614111.tif 000016
【図１６】
0005614111.tif 000017
【図１７】
0005614111.tif 000018
【図１８】
0005614111.tif 000019
【図１９】
0005614111.tif 000020
【図２０】
0005614111.tif 000021
【図２１】
0005614111.tif 000022